【手続補正書】
【提出日】平成24年4月18日(2012.4.18)
【手続補正１】
【補正対象書類名】明細書
【補正対象項目名】００９３
【補正方法】変更
【補正の内容】
【００９３】
上述の様々な本発明の様相はいずれも基地局及び／または移動局に適用可能である。上述の本発明の各様相が移動局に適用される場合、リソースブロックマッピング方法は、上記インターリービングする段階または上記仮想リソースブロックのインデックスを決定する段階の前に、無線移動通信システムの移動局からリソース指示値（ＲＩＶ）を受信する段階をさらに含むことができる。
（項目１）
無線移動通信システムにおいて、連続して割り当てられた仮想リソースブロックを物理リソースブロックに分散してマッピングするリソースブロックマッピング方法であって、
上記仮想リソースブロックのインデックスをブロックインターリーバーを用いてインターリービングする段階と、
分散のためのギャップ（Ｇａｐ）と共に一つのサブフレーム上の第１スロット及び第２スロット上に上記インターリービングされたインデックスを順次にマッピングする段階と、
を含み、
上記ギャップは、一つのＲＢＧ（Ｒｅｓｏｕｒｃｅ  Ｂｌｏｃｋ  Ｇｒｏｕｐ）を構成する連続した物理リソースブロックの個数（ＭＲＢＧ）の二乗の倍数であり、上記ＲＢＧは、リソース割当のために一つのビットにより表される、リソースブロックマッピング方法。
（項目２）
上記ブロックインターリーバーの次数（Ｄｅｇｒｅｅ）が上記ブロックインターリーバーの列（Ｃｏｌｕｍｎ）の個数Ｃ＝４と定義される時に、上記ブロックインターリーバーの行（Ｒｏｗ）の個数Ｒは、数式１のように与えられ、上記ブロックインターリーバーに埋められるヌル（Ｎｕｌｌ）の個数Ｎｎｕｌｌは、数式２のように与えられる、項目１に記載のリソースブロックマッピング方法。
【数１】
2011504322.tif 000001
【数２】
2011504322.tif 000002
ただし、ＭＲＢＧは、上記ＲＢＧを構成する連続した物理リソースブロックの個数を表し、ＮＤＶＲＢは、上記分散して割り当てられる仮想リソースブロックの個数を表す。
（項目３）
上記ブロックインターリーバーにヌルが入力されることが許容される場合に、上記分散して割り当てられる仮想リソースブロックの個数（ＮＤＶＲＢ）は数式３により与えられる、項目２に記載のリソースブロックマッピング方法。
【数３】
2011504322.tif 000003
（項目４）
上記ブロックインターリーバーの次数は、上記分散により決定されるダイバーシティ次数（Ｄｉｖｅｒｓｉｔｙ  Ｏｒｄｅｒ、ＮＤｉｖＯｒｄｅｒ）と同一である、項目１に記載のリソースブロックマッピング方法。
（項目５）
上記ブロックインターリーバーにヌル（Ｎｕｌｌ）が挿入される場合に、上記インターリービングを行う段階は、上記ブロックインターリーバーを、一つの仮想リソースブロックがマッピングされる物理リソースブロックの個数（ＮＤ）のグループに分割し、上記分割された各グループにヌル（Ｎｕｌｌ）を均等に分散させる段階を含む、項目１に記載のリソースブロックマッピング方法。
（項目６）
上記ブロックインターリーバーの次数が、上記ブロックインターリーバーの行の個数である場合には、上記それぞれのグループは上記それぞれの行に対応し、上記ブロックインターリーバーの次数が上記ブロックインターリーバーの列の個数である場合には、上記それぞれのグループは上記それぞれの列に対応する、項目５に記載のリソースブロックマッピング方法。
（項目７）
上記分散して割り当てられる仮想リソースブロックのインデックスｄが与えられた時に、上記ｄにマッピングされる上記第１スロット上の上記物理リソースブロックのインデックスｐ１，ｄは、数式１のように与えられ、上記ｄにマッピングされる第２スロット上の上記物理リソースブロックのインデックスｐ２，ｄは、数式２のように与えられる、項目１に記載のリソースブロックマッピング方法。
【数１】
2011504322.tif 000004
【数２】
2011504322.tif 000005
ただし、Ｒは、上記ブロックインターリーバーの行の個数を表し、Ｃは、上記ブロックインターリーバーの列の個数を表し、ＮＤＶＲＢは、分散して割り当てられる仮想リソースブロックに用いられるリソースブロックの個数（ｎｕｍｂｅｒ  ｏｆ  ＲＢｓ  ｕｓｅｄ  ｆｏｒ  ＤＶＲＢ）を表し、ｍｏｄは、モジューロ演算を意味する。
（項目８）
上記仮想リソースブロックの個数（ＮＤＶＲＢ）は、上記ＲＢＧを構成する連続した物理リソースブロックの個数の二乗（ＭＲＢＧ２）に、一つの仮想リソースブロックがマッピングされる物理リソースブロックの個数（ＮＤ）を乗じた値の整数倍である、項目１に記載のリソースブロックマッピング方法。
（項目９）
無線移動通信システムにおいて、連続して割り当てられた仮想リソースブロックを物理リソースブロックに分散してマッピングするリソースブロックマッピング方法であって、
上記仮想リソースブロックのインデックスをブロックインターリーバーを用いてインターリービングする段階と、
分散のためのギャップ（Ｇａｐ）と共に一つのサブフレーム上の第１スロット及び第２スロット上に上記インターリービングされたインデックスを順次にマッピングする段階と、
を含み、
上記分散のためのギャップの大きさＮｇａｐは、数式１のように与えられる、リソースブロックマッピング方法。
【数１】
2011504322.tif 000006
ただし、ＭＲＢＧは、上記ＲＢＧを構成する連続した物理リソースブロックの個数を表し、ＮＰＲＢは、システムの物理リソースブロックの個数を表す。
（項目１０）
上記ブロックインターリーバーにヌルが入力されることが許容される場合に、上記分散して割り当てられる仮想リソースブロックの個数（ＮＤＶＲＢ）は、数式２により与えられる、項目９に記載のリソースブロックマッピング方法。
【数２】
2011504322.tif 000007
（項目１１）
無線移動通信システムにおいて、連続して割り当てられた仮想リソースブロックを物理リソースブロックに分散してマッピングするリソースブロックマッピング方法であって、
上記仮想リソースブロックが始まるインデックスナンバー及び上記仮想リソースブロックの長さを表すリソース指示値（ＲＩＶ）から上記仮想リソースブロックのインデックスを決定する段階と、
ブロックインターリーバーを用いて上記決定された仮想リソースブロックのインデックスに対するインターリービングを行って、上記仮想リソースブロックを物理リソースブロックに分散してマッピングするマッピング段階と、
を含み、
上記ブロックインターリーバーの次数（Ｄｅｇｒｅｅ）は、上記分散により決定されるダイバーシティ次数（Ｄｉｖｅｒｓｉｔｙ  Ｏｒｄｅｒ、ＮＤｉｖＯｒｄｅｒ）と同一である、リソースブロックマッピング方法。
（項目１２）
上記仮想リソースブロックの個数（ＮＤＶＲＢ）が上記ブロックインターリーバーの次数の整数倍でない場合に上記インターリービングを行う段階は、上記インターリーバーを、一つの仮想リソースブロックがマッピングされる物理リソースブロックの個数（ＮＤ）のグループに分割し、上記分割された各グループにヌル（Ｎｕｌｌ）を均等に分散させる段階を含む、項目１１に記載のリソースブロックマッピング方法。
（項目１３）
上記仮想リソースブロックの個数が、あらかじめ定められた臨界値（Ｍｔｈ）以上である場合には、上記ギャップの大きさは０である、項目１に記載のリソースブロックマッピング方法。
（項目１４）
上記リソースブロックマッピング方法は、上記ギャップの大きさに関する情報を受信する段階をさらに含み、上記ギャップの大きさは、上記受信したギャップの大きさに関する情報により決定される、項目１に記載のリソースブロックマッピング方法。
（項目１５）
上記リソースブロックマッピング方法は、上記無線移動通信システムの移動局（Ｍｏｂｉｌｅ  Ｓｔａｔｉｏｎ）で上記リソース指示値（ＲＩＶ）を受信する段階をさらに含む、項目１〜１４のいずれか１項に記載のリソースブロックマッピング方法。
【手続補正２】
【補正対象書類名】特許請求の範囲
【補正対象項目名】全文
【補正方法】変更
【補正の内容】
【特許請求の範囲】
【請求項１】
無線移動通信システムにおける基地局においてリソースブロックを用いて下りリンクデータを送信する方法であって、
前記方法は、
物理リソースブロック（ＰＲＢ）にマッピングされる下りリンクデータをユーザ機器に送信すること
を含み、
仮想リソースブロック（ＶＲＢ）のインデックスは、サブフレームの第１スロットおよび第２スロットに対する前記ＰＲＢのインデックスにマッピングされ、前記第２スロットに対する前記ＰＲＢのインデックスは、所定のギャップに基づいて、前記第１スロットに対する前記ＰＲＢのインデックスに対してシフトされ、
前記ＶＲＢのインデックスは、ブロックインターリーバーによってインターリービングされ、
前記ＶＲＢの個数ＮＤＶＲＢは、
ＮＤＶＲＢ＝ｍｉｎ（ＮＰＲＢ−Ｎｇａｐ，Ｎｇａｐ）・２
として与えられ、
Ｎｇａｐは、前記所定のギャップの値を示し、ＮＰＲＢは、システム帯域幅内のＰＲＢの個数を示す、方法。
【請求項２】
前記ブロックインターリーバーは、ＮＤ個の部分から構成され、前記ブロックインターリーバーにヌルが挿入される場合、前記ヌルは、前記ヌルがＮＤ個の部分にわたって均一に分散されるようにＮＤ個の部分に挿入され、前記ＶＲＢのインデックスが前記ブロックインターリーバーから読み出される場合、前記ヌルは無視される、請求項１に記載の方法。
【請求項３】
ＮＤは２に等しい、請求項２に記載の方法。
【請求項４】
前記ＶＲＢのインデックスは、前記ブロックインターリーバーによって用いられるマトリクスにおいて、行ごとに書き込まれ、かつ、列ごとに読み出される、請求項１に記載の方法。
【請求項５】
無線移動通信システムにおけるユーザ機器においてリソースブロックを用いて下りリンクデータを受信する方法であって、
前記方法は、
基地局から前記下りリンクデータに対するリソース割当情報を含む下りリンク制御情報を受信することと、
前記下りリンク制御情報に基づいて、物理リソースブロック（ＰＲＢ）にマッピングされる下りリンクデータを受信することと
を含み、
前記リソース割当情報は、前記ユーザ機器に対する仮想リソースブロック（ＶＲＢ）割当を示し、
前記下りリンクデータがマッピングされる前記ＰＲＢのインデックスは、仮想リソースブロック（ＶＲＢ）と前記ＰＲＢとの間のマッピング関係に基づいて決定され、
前記マッピング関係は、サブフレームの第１スロットおよび第２スロットに対する前記ＰＲＢのインデックスにマッピングされる前記ＶＲＢのインデックスとして定義され、前記第２スロットに対する前記ＰＲＢのインデックスは、所定のギャップに基づいて、前記第１スロットに対する前記ＰＲＢのインデックスに対してシフトされ、
前記ＶＲＢのインデックスは、ブロックインターリーバーによってインターリービングされ、
前記ＶＲＢの個数ＮＤＶＲＢは、
ＮＤＶＲＢ＝ｍｉｎ（ＮＰＲＢ−Ｎｇａｐ，Ｎｇａｐ）・２
として与えられ、
Ｎｇａｐは、前記所定のギャップの値を示し、ＮＰＲＢは、システム帯域幅内のＰＲＢの個数を示す、方法。
【請求項６】
前記ブロックインターリーバーは、ＮＤ個の部分から構成され、前記ブロックインターリーバーにヌルが挿入される場合、前記ヌルは、前記ヌルがＮＤ個の部分にわたって均一に分散されるようにＮＤ個の部分に挿入され、前記ＶＲＢのインデックスが前記ブロックインターリーバーから読み出される場合、前記ヌルは無視される、請求項５に記載の方法。
【請求項７】
ＮＤは２に等しい、請求項６に記載の方法。
【請求項８】
前記ＶＲＢのインデックスは、前記ブロックインターリーバーによって用いられるマトリクスにおいて、行ごとに書き込まれ、かつ、列ごとに読み出される、請求項５に記載の方法。
【請求項９】
無線移動通信システムにおいてリソースブロックを用いて下りリンクデータを送信する基地局であって、
前記基地局は、
前記基地局の動作を制御するプロセッサと、
前記プロセッサによって駆動されるメモリユニットと
を含み、
前記プロセッサは、物理リソースブロック（ＰＲＢ）にマッピングされる下りリンクデータをユーザ機器に送信することを行うように構成されており、
仮想リソースブロック（ＶＲＢ）のインデックスは、サブフレームの第１スロットおよび第２スロットに対する前記ＰＲＢのインデックスにマッピングされ、前記第２スロットに対する前記ＰＲＢのインデックスは、所定のギャップに基づいて、前記第１スロットに対する前記ＰＲＢのインデックスに対してシフトされ、
前記ＶＲＢのインデックスは、ブロックインターリーバーによってインターリービングされ、
前記ＶＲＢの個数ＮＤＶＲＢは、
ＮＤＶＲＢ＝ｍｉｎ（ＮＰＲＢ−Ｎｇａｐ，Ｎｇａｐ）・２
として与えられ、
Ｎｇａｐは、前記所定のギャップの値を示し、ＮＰＲＢは、システム帯域幅内のＰＲＢの個数を示す、基地局。
【請求項１０】
無線移動通信システムにおいてリソースブロックを用いて下りリンクデータを受信するユーザ機器であって、
前記ユーザ機器は、
前記ユーザ機器の動作を制御するプロセッサと、
前記プロセッサによって駆動されるメモリユニットと
を含み、
前記プロセッサは、基地局から前記下りリンクデータに対するリソース割当情報を含む下りリンク制御情報を受信することと、前記下りリンク制御情報に基づいて、物理リソースブロック（ＰＲＢ）にマッピングされる下りリンクデータを受信することとを行うように構成されており、
前記リソース割当情報は、前記ユーザ機器に対する仮想リソースブロック（ＶＲＢ）割当を示し、
前記下りリンクデータがマッピングされる前記ＰＲＢのインデックスは、仮想リソースブロック（ＶＲＢ）と前記ＰＲＢとの間のマッピング関係に基づいて決定され、
前記マッピング関係は、サブフレームの第１スロットおよび第２スロットに対する前記ＰＲＢのインデックスにマッピングされる前記ＶＲＢのインデックスとして定義され、前記第２スロットに対する前記ＰＲＢのインデックスは、所定のギャップに基づいて、前記第１スロットに対する前記ＰＲＢのインデックスに対してシフトされ、
前記ＶＲＢのインデックスは、ブロックインターリーバーによってインターリービングされ、
前記ＶＲＢの個数ＮＤＶＲＢは、
ＮＤＶＲＢ＝ｍｉｎ（ＮＰＲＢ−Ｎｇａｐ，Ｎｇａｐ）・２
として与えられ、
Ｎｇａｐは、前記所定のギャップの値を示し、ＮＰＲＢは、システム帯域幅内のＰＲＢの個数を示す、ユーザ機器。